(57)【特許請求の範囲】
【請求項１】
実装される部品を位置決めするための指標を少なくとも２つ有しているプリント基板において、
前記プリント基板の基材は、ガラス繊維が互いに直交するように編みこまれた織布状であり、
前記指標は、前記プリント基板の基材のガラス繊維の方向に対して平行又は垂直に並ぶように形成されていることを特徴とするプリント基板。
【請求項２】
前記指標は、前記プリント基板の基材のガラス繊維の方向に対して平行及び垂直に並ぶように形成されていることを特徴とする請求項１に記載のプリント基板。
【請求項３】
前記指標は、前記プリント基板と前記部品のＸＹ平面上の位置関係を決定する基準点から等しい距離で対向して配置されていることを特徴とする請求項１又は２に記載のプリント基板。
【請求項４】
前記部品は、撮像素子であり、
前記撮像素子が実装されている請求項１乃至３の何れかに記載のプリント基板を備えたことを特徴とするカメラモジュール。
【発明の詳細な説明】
【技術分野】
【０００１】
本発明は、プリント基板及びそれを備えたカメラモジュールに関する。
【背景技術】
【０００２】
携帯電話などに用いられる小型のカメラモジュールは、主にガラスエポキシからなるプリント基板と、そのプリント基板に搭載されたＣＣＤ（Charge  Coupled  Devices）センサーやＣＭＯＳ（Complementary  Metal  Oxide  Semiconductor）センサーなどの撮像素子と、光学部品からなるレンズ鏡筒とから構成される。
この撮像素子は、チップマウンタ装置などにより前記プリント基板上に実装される。従来、このような部品を前記プリント基板上に実装する方法としては、実装される部品の位置を決定するための実装用指標を前記プリント基板上に設け、前記指標同士を結ぶ直線を基準として部品を実装する（特許文献１参照）。
【０００３】
【特許文献１】特開平５−２０６５９３号公報
【発明の開示】
【発明が解決しようとする課題】
【０００４】
しかしながら、前記プリント基板の基材はガラス繊維であるため、温度や湿度によって伸縮する性質がある。また、このガラス繊維は、前記プリント基板に対して縦方向と横方向とから編みこまれているため、前記プリント基板は縦方向及び横方向に伸縮する。従って、部品を前記プリント基板に実装する際に、前記プリント基板の縦方向と横方向との変形が不均一であった場合、前記マーク同士を結ぶ直線と前記プリント基板のＸＹ軸とが成す角度が設計値に対して傾いてしまう。
この傾いた直線を基準として部品を実装すると、前記プリント基板のＸＹ軸に対して前期部品のＸＹ軸も傾いて実装されることになる。
このように、前記撮像素子が前記プリント基板に対して傾いたまま実装されると、前記レンズ鏡筒を基板の外形を基準に取り付ける場合には画像が傾いて見えるという問題がある。また、小型のカメラモジュールにおいては、前記レンズ鏡筒と前記プリント基板との大きさがほぼ同じであるため前記プリント基板のＸＹ軸に対する前記レンズ鏡筒のＸＹ軸の傾きが大きいと、外観上も問題であった。
【０００５】
そこで、本発明の目的は、部品の実装精度が向上したプリント基板及びそれを備えたカメラモジュールを提供することである。
【課題を解決するための手段】
【０００６】
上記目的を達成するため、本発明の第１の観点に係るプリント基板は、実装される部品を位置決めするための指標を少なくとも２つ有しているプリント基板において、前記指標は、前記プリント基板の基材の繊維方向に対して平行又は垂直に並ぶように形成されるという特徴をもつ。
【０００７】
好ましくは前記指標は、前記プリント基板の基材の繊維方向に対して平行及び垂直に並ぶように形成されていることを特徴とする。
【０００８】
また前記指標は、前記プリント基板と前記部品のＸＹ平面上の位置関係を決定する基準点から等しい距離で対向して配置されてもよい。
【０００９】
このような構成により、温度変化により前記プリント基板が伸縮しても前記指標同士を結ぶ直線と前記プリント基板のＸＹ軸との角度が、ほぼ同一角度で維持されるので、前記プリント基板のＸＹ軸に対する前記部品のＸＹ軸の傾きを小さくすることができる。従って、熱による伸縮の影響を抑制して部品の実装精度を向上させることができる。
【００１０】
また、前記部品は、撮像素子であり、前記撮像素子が実装されている前記プリント基板を備えたカメラモジュールによっても達成できる。
【００１１】
このような構成により、前記プリント基板のＸＹ軸に対する前記撮像素子のＸＹ軸の傾きを小さくできる。従って、部品の実装精度が向上したカメラモジュールを提供できる。
【発明の効果】
【００１２】
部品の実装精度が向上したプリント基板及びそれを備えたカメラモジュールを提供できる。
【発明を実施するための最良の形態】
【００１３】
以下、図面を参照して本発明に係る実施例を説明する。
【００１４】
図１は、本発明に係るプリント基板の平面図である。
プリント基板１は、撮像素子２を実装するための実装用認識マーク（指標）３と、撮像素子２が実装される位置の中心に印刷された基準点となる中心マーク４とが形成されている。尚、図１に示すプリント基板１の短手方向をＸ方向とし、長手方向をＹ方向とする。
【００１５】
実装用認識マーク３は、プリント基板１にＸ方向に並ぶように２つ形成されている。実装用認識マーク３は、撮像素子２の外形の一辺に対して平行又は垂直に並ぶように形成される。また、撮像素子２は、撮像素子２の外形の一辺と、実装用認識マーク３同士を結ぶ直線３ａとが平行又は垂直になるように位置決めされる。具体的には、撮像素子２をプリント基板１に実装する実装装置（不図示）が、実装用認識マーク３をカメラで撮影し、画像処理などで、実装用認識マーク３の形状や座標、及び直線３ａを認識して実装位置を演算し、撮像素子２を所定の位置に実装する。
また、中心マーク４は、直線３ａの中心に形成されている。
また、撮像素子２上には、後述するレンズ鏡筒を位置決めするためのレンズ鏡筒位置決め用基準点２１が形成されている。
【００１６】
図２は、プリント基板の内部構成を示した斜視図である。プリント基板１は、銅箔１１と、プリプレグ１２とからなり、このプリプレグには、Ｘ軸方向に伸びるガラス繊維の横糸１３Ｘと、Ｙ軸方向に伸びるガラス繊維の縦糸１３Ｙにエポキシ樹脂を含浸して硬化されている。プリント基板１は、ガラス繊維の横糸１３Ｘと、縦糸１３Ｙとにより直角に交差するように織って形成されたプリプレグ１２上に銅箔１１を接着し、この銅箔１１をエッチングして回路パターンを形成したものである。
【００１７】
図２に示すように、プリント基板１の基材であるガラス繊維は、横糸１３Ｘと縦糸１３Ｙとが垂直に編みこまれて形成される。また、プリント基板１の外形は、横糸１３Ｘと縦糸１３Ｙとに対して平行に形成されている。
また、このガラス繊維は温度及び湿度の変化により伸縮をする性質がある。このため、プリント基板１も同様に、横糸１３Ｘ及び縦糸１３Ｙの方向に伸縮する性質がある。
【００１８】
前記マーク３は、前記基板１の基材であるガラス繊維の方向に対して平行又は垂直に並ぶように形成されている。具体的には、前記マーク３は、直線３ａとガラス繊維の横糸１３Ｘの方向とが平行になる位置に形成され、横糸１３Ｙに対しては垂直になる位置に形成されている。従って、温度及び湿度の変化により横糸１３Ｘが伸縮したとしても、前記マーク３は、前記中心マーク４を基準として互いに離れるように、もしくは近づくようにＸ方向に移動する。前記マーク３は、Ｙ方向に対しては、互いに位置関係を保ったままＹ方向に移動する。即ち、前記マーク３は、直線３ａがＸ方向に平行（又はＹ方向に垂直）を保ったままＹ方向に移動する。
【００１９】
このような構成により、温度及び湿度変化によりプリント基板１が伸縮しても実装用認識マーク３同士を結ぶ直線３ａはほぼ同一角度で維持されるので、プリント基板１のＸＹ軸に対する撮像素子２のＸＹ軸の傾きを小さくして実装することができる。従って、温度変化による伸縮の影響を抑制して前記撮像素子２の実装精度を向上させることができる。
【００２０】
図３は、カメラモジュールの組み付け前の構成を示した斜視図である。
カメラモジュール３０は、撮像素子２が実装されたプリント基板１と、レンズ３２を備えるレンズ鏡筒３１とから構成される。
【００２１】
レンズ鏡筒３１は、レンズ鏡筒３１をプリント基板１に実装するレンズ鏡筒実装手段（不図示）が撮像素子２をカメラで撮像し、撮像素子２上に形成されたレンズ鏡筒位置決め用基準点２１や、撮像素子２の外形を認識してレンズ鏡筒３１を所定の位置に実装する。このように、プリント基板１のＸＹ軸に対して撮像素子２のＸＹ軸の傾き量が小さい状態で実装することができるので、前記レンズ鏡筒３１を前記撮像素子２基準で実装すれば、プリント基板１のＸＹ軸と前記レンズ鏡筒３１のＸＹ軸の傾く量を小さくできる。これにより、画像の傾きの発生を抑制でき、部品の実装精度が向上したカメラモジュールを提供できる。
【００２２】
次に、図４を用いて変形例１について説明する。この変形例１のプリント基板１ｂの基本構成はプリント基板１と同様である。よって、プリント基板１と同一の部分には同じ符号を付することによって重複する説明を省略する。図４は、プリント基板１ｂの平面図である。
【００２３】
変形例１に係るプリント基板１ｂは、図４に示すように、実装用認識マーク３はＹ方向に並んで形成される。このように、実装用認識マーク３がＹ方向に並んで形成されている場合でも、実装用認識マーク３は前記基板１ｂ基材であるガラス繊維の縦糸Ｙに対して平行に設けられているため、上述したプリント基板１と同様の効果を有する。
【００２４】
次に、図５を用いて変形例２について説明する。この変形例２のプリント基板１ｃの基本構成はプリント基板１と同様である。よって、プリント基板１と同一の部分には同じ符号を付することによって重複する説明を省略する。図５は、プリント基板１ｃの平面図である。
【００２５】
変形例２に係るプリント基板１ｃは、図５に示すように、実装用認識マーク３はＸ方向に２つ並んで形成されているとともに、Ｙ方向にも２つ並んで形成される。Ｘ方向に並んでいる実装用認識マーク３同士を結ぶ直線３ａと、Ｙ方向に並んでいる実装用認識マーク３同士を結ぶ直線３ｂとの交点の位置に、中心マーク４が形成される。このように、実装用認識マーク３がＸ方向及びＹ方向に並んで形成されている場合でも、実装用認識マーク３はプリント基板１ｃの基材であるガラス繊維の横糸Ｘ及び縦糸Ｙに対して平行に設けられているため、上述したプリント基板１と同様の効果を有する。
【００２６】
以上のように、実装用認識マーク３を従来のようにプリント基板１の対角線上に配置するのではなく、ガラス繊維の織られた方向と平行又は垂直に配置する。この配置により、プリント基板１が温度変化により変形した際に実装用認識マーク３とプリント基板１のＸＹ軸との角度変化を小さく抑えることができる。そのため、プリント基板１の外形を基準にカメラモジュールを携帯電話などに組み込んでも画像の傾きの発生を抑制できる。
【００２７】
また、実装用認識マーク３とプリント基板１のＸＹ軸の角度変化が小さいため、撮像素子２を基準にしてレンズ鏡筒３１を前記プリント基板１に取り付けた際の、プリント基板１のＸＹ軸に対するレンズ鏡筒３１のＸＹ軸の傾き量についても小さくできる。これにより、外観的にもよくなる。
【００２８】
以上本発明の好ましい一実施形態について詳述したが、本発明は係る特定の実施形態に限定されるものではなく、特許請求の範囲に記載された本発明の要旨の範囲内において、種々の変形・変更が可能である。
上記実施例においては、プリント基板１に実装される矩形の部品として、撮像素子を例に説明したが、これに限定されず電子部品であればよい。
また、上記実施例においては実装される矩形の部品を位置決めするための指標として、実装用認識マーク３を例にあげて説明したが、これに限定されず、例えば穴であってもよい。
また、上記実施例においては実装用認識マーク３の形状を円形としたが、これに限定されない。
【図面の簡単な説明】
【００２９】
【図１】本発明に係るプリント基板の平面図である。
【図２】プリント基板の内部構成を示した斜視図である。
【図３】カメラモジュールの組み付け前の構成を示した斜視図である。
【図４】プリント基板１ｂの平面図である。
【図５】プリント基板１ｃの平面図である。
【符号の説明】
【００３０】
１、１ｂ、１ｃ      プリント基板
２                  撮像素子
３                  実装用認識マーク（指標）
４                  中心マーク
１１                銅箔
１２                プリプレグ
１３Ｘ              横糸
１３Ｙ              縦糸
２１                レンズ鏡筒位置決め用基準点
３０                カメラモジュール
３１                レンズ鏡筒
３２                レンズ
【図１】
0004431534.tif 000002
【図２】
0004431534.tif 000003
【図３】
0004431534.tif 000004
【図４】
0004431534.tif 000005
【図５】
0004431534.tif 000006